(57)【要約】【課題】プラグの抜き差しやコジリに対する外部接続端子の耐久性を高めることができるとともに、複数の外部接続端子が近接して並設された場合でも、電子機器の小型化、及び十分なノイズの低減が可能な仕組みを提供する。【解決手段】電子機器は、ベース部材５２に対して並設された状態で保持される複数の外部接続端子２１，２２と、ベース部材５２との間に複数の外部接続端子２１，２２を挟むようにしてベース部材５２に固定される補強部材５１１と、補強部材５１１が複数の外部接続端子２１，２２に接触する面の反対側に配置され、複数の外部接続端子２１，２２に接触して電気的に導通するとともに、グランドに接続された他の部材６に電気的に導通する接地部材５１２と、補強部材５１１との間に接地部材５１２を挟むように配置されるシャーシ部材７と、を備える。補強部材５１１には、複数の外部接続端子２１，２２の間でシャーシ部材７に向けて延設されてシャーシ部材７に当接する壁部５１１ａが設けられている。【選択図】図９
2013153266.tif 000002
【特許請求の範囲】
【請求項１】
ベース部材と、
前記ベース部材に対して並設された状態で保持される複数の外部接続端子と、
前記ベース部材との間に前記複数の外部接続端子を挟むようにして前記ベース部材に固定される補強部材と、
前記補強部材が前記複数の外部接続端子に接触する面の反対側に配置され、前記複数の外部接続端子に接触して電気的に導通するとともに、グランドに接続された他の部材に電気的に導通する接地部材と、
前記補強部材との間に前記接地部材を挟むように配置されるシャーシ部材と、を備え、
前記補強部材には、前記複数の外部接続端子の間で前記シャーシ部材に向けて延設されて前記シャーシ部材に当接する壁部が設けられていることを特徴とする電子機器。
【請求項２】
前記壁部は、前記複数の外部接続端子の先端側に配置されることを特徴とする請求項１に記載の電子機器。
【請求項３】
前記壁部は、前記複数の外部接続端子のうちの一方の外部接続端子の側では、前記一方の外部接続端子の幅方向の全域で前記シャーシ部材に向けて延設され、他方の外部接続端子の側では、前記他方の外部接続端子の幅方向の一部の領域で前記シャーシ部材に向けて延設され、
前記他方の外部接続端子の近傍で前記補強部材が前記ベース部材に固定されることを特徴とする請求項１又は２に記載の電子機器。
【発明の詳細な説明】
【技術分野】
【０００１】
本発明は、複数の外部接続端子を有するデジタルカメラ等の電子機器に関する。
【背景技術】
【０００２】
デジタルカメラ等の電子機器では、基板に実装された外部接続端子を補強部材で覆った状態で補強部材を基板に固定することで、プラグの抜き差しやコジリに対する耐久性を高め、かつ、外部接続端子からのノイズを低減する技術が提案されている（特許文献１）。
【先行技術文献】
【特許文献】
【０００３】
【特許文献１】特開２００２−７５５５９号公報
【発明の概要】
【発明が解決しようとする課題】
【０００４】
しかし、上記特許文献１では、複数の外部接続端子が近接して並設された場合に、各外部接続端子をそれぞれ補強部材で覆って補強部材を基板に固定するためには、各外部接続端子の間にスペースが必要となり、電子機器の小型化を阻害する。また、外部接続端子を補強部材で覆うことによるノイズの低減効果にも限界がある。
【０００５】
そこで、本発明は、プラグの抜き差しやコジリに対する外部接続端子の耐久性を高めることができるとともに、複数の外部接続端子が近接して並設された場合でも、電子機器の小型化、及び十分なノイズの低減が可能な仕組みを提供することを目的とする。
【課題を解決するための手段】
【０００６】
上記目的を達成するために、本発明の電子機器は、ベース部材と、前記ベース部材に対して並設された状態で保持される複数の外部接続端子と、前記ベース部材との間に前記複数の外部接続端子を挟むようにして前記ベース部材に固定される補強部材と、前記補強部材が前記複数の外部接続端子に接触する面の反対側に配置され、前記複数の外部接続端子に接触して電気的に導通するとともに、グランドに接続された他の部材に電気的に導通する接地部材と、前記補強部材との間に前記接地部材を挟むように配置されるシャーシ部材と、を備え、前記補強部材には、前記複数の外部接続端子の間で前記シャーシ部材に向けて延設されて前記シャーシ部材に当接する壁部が設けられていることを特徴とする。
【発明の効果】
【０００７】
本発明によれば、プラグの抜き差しやコジリに対する外部接続端子の耐久性を高めることができるとともに、複数の外部接続端子が近接して並設された場合でも、電子機器の小型化、及び十分なノイズの低減が可能となる。
【図面の簡単な説明】
【０００８】
【図１】本発明の電子機器の実施形態の一例であるデジタルカメラを正面側（被写体側）から見た斜視図である。
【図２】図２は図１に示すデジタルカメラの分解斜視図である。
【図３】ストロボ電池ボックスユニット及びメイン基板の分解斜視図である。
【図４】電池ボックスにＵＳＢ型複合端子、及びＨＤＭＩ端子が嵌合された状態を示す図である。
【図５】電池ボックスとの間にＵＳＢ型複合端子、及びＨＤＭＩ端子を挟むようにしてカバーユニットをビスによって電池ボックスに固定した状態を示す図である。
【図６】電池ボックスにメイン基板を取り付けた状態を示す図である。
【図７】フレキシブル基板のコネクタをメイン基板のコネクタに接続した状態を示す図である。
【図８】電池ボックスにメイン基板及びメインシャーシを取り付けた状態を示す平面図である。
【図９】図８の矢印Ａ方向から見た図である。
【図１０】図８のＢ−Ｂ線断面図である。
【図１１】（ａ）はカバーユニットの斜視図、（ｂ）は（ａ）の背面側から見た斜視図である。
【発明を実施するための形態】
【０００９】
以下、本発明の実施形態の一例を図面を参照して説明する。
【００１０】
図１は本発明の電子機器の実施形態の一例であるデジタルカメラを正面側（被写体側）から見た斜視図、図２は図１に示すデジタルカメラの分解斜視図である。
【００１１】
図１に示すように、本実施形態のデジタルカメラ１は、正面カバー３及び背面カバー４により外装を形成しており、正面側から見て左側の側部には、端子蓋１０が開閉可能に設けられている。
【００１２】
図２に示すように、正面カバー３と背面カバー４との間には、正面側から背面側に向けてストロボ電池ボックスユニット５、メイン基板６、メインシャーシ７、及び表示ユニット８が順番に設けられる。
【００１３】
ストロボ電池ボックスユニット５は、電池ボックス５２に、ストロボ関連部品を取り付けて構成され、正面カバー３に不図示のビス等によって固定される。ストロボ電池ボックスユニット５には、画像データや音声を出力するためのＵＳＢ型複合端子２１、及びＨＤＭＩ端子２２が保持される。
【００１４】
ＵＳＢ型複合端子２１、及びＨＤＭＩ端子２２は、フレキシブル基板２に実装され、端子蓋１０を開いた状態で、正面カバー３に形成された開口３１，３２を介して外部に露出する。
【００１５】
メイン基板６は、撮影画像の画像処理や制御信号処理を行うもので、ストロボ電池ボックスユニット５にビス１１等によって固定される。メイン基板６には、前述したフレキシブル基板２が接続され、ＵＳＢ型複合端子２１及びＨＤＭＩ端子２２からの信号がフレキシブル基板２を介してメイン基板６に伝送される。
【００１６】
メインシャーシ７は、ビス１２等によってストロボ電池ボックスユニット５、及びフレーム１５に固定され、フレーム１５は、不図示のビス等によって正面カバー３に固定される。
【００１７】
表示ユニット８は、ＬＣＤ等で構成され、撮影画像や記録媒体に記録された画像を表示する。表示ユニット８は、押え部材９により押さえられた状態で不図示の両面テープ等によってメインシャーシ７に取り付けられ、押え部材９は、ビス１３等によりメインシャーシ７に固定される。背面カバー４は、ビス１４等により正面カバー３に固定される。
【００１８】
図３は、ストロボ電池ボックスユニット５及びメイン基板６の分解斜視図である。
【００１９】
図３に示すように、電池ボックス５２に形成された溝部５２１、及び溝部５２２には、ＵＳＢ型複合端子２１、及びＨＤＭＩ端子２２がそれぞれ嵌合されて保持される。カバーユニット５１は、樹脂製のカバー５１１及び金属製の接地板金５１２を備え、電池ボックス５２との間にＵＳＢ型複合端子２１、及びＨＤＭＩ端子２２を挟むようにしてビス５４ａ〜５４ｃによって電池ボックス５２に固定される。ここで、電池ボックス５２は、本発明のベース部材の一例に相当し、カバー５１１は、本発明の補強部材の一例に相当し、接地板金５１２は、本発明の接地部材の一例に相当する。
【００２０】
図４は、電池ボックス５２に形成された溝部５２１、及び溝部５２２にＵＳＢ型複合端子２１、及びＨＤＭＩ端子２２がそれぞれ嵌合された状態を示す図である。
【００２１】
図４に示すように、電池ボックス５２には、ビス穴５２４ａ〜５２４ｃが形成され、ビス穴５２４ａ〜５２４ｃには、カバーユニット５１を電池ボックス５２に固定する際のビス５４ａ〜５４ｃが締結される。
【００２２】
また、電池ボックス５２には、穴５２５が形成されており、穴５２５は、ストロボ電池ボックスユニット５を正面カバー３に固定する際に不図示のビスが挿通する。さらに、電池ボックス５２には、カバーユニット５１を位置決めするボス５２３ａ，５２３ｂが設けられている。
【００２３】
フレキシブル基板２には、穴２０１ａ，２０１ｃ及び穴２０２ａ，２０２ｂが形成されている。穴２０１ａ，２０１ｃには、カバーユニット５１を電池ボックス５２に固定するビス５４ａ〜５４ｃのうちのビス５４ａ，５４ｃが挿通してフレキシブル基板２を共締めする。また、穴２０２ａ，２０２ｂは、電池ボックス５２のボス５２３ａ，５２３ｂに嵌め込まれて位置決めされる。
【００２４】
図５は、電池ボックス５２との間にＵＳＢ型複合端子２１、及びＨＤＭＩ端子２２を挟むようにしてカバーユニット５１をビス５４ａ〜５４ｃによって電池ボックス５２に固定した状態を示す図である。
【００２５】
図５に示すように、カバーユニット５１のカバー５１１には、ＵＳＢ型複合端子２１、及びＨＤＭＩ端子２２の間でカバーユニット５１の取り付け面に対して略垂直にメインシャーシ７側に向けて立ち上がる壁部５１１ａが設けられている。
【００２６】
また、接地板金５１２には、壁部５１１ａと平行な側面部５１２ａが設けられている。カバー５１１と接地板金５１２とは、壁部５１１ａに側面部５１２ａを接触させた状態で熱溶着等によるカシメ５１１ｂによって結合される。
【００２７】
接地板金５１２には、カバーユニット５１の取り付け面に対して略平行な平面部５１２ｂが設けられている。平面部５１２ｂには、導電性を有する弾性材からなるガスケット５３が不図示の導電性両面テープ等で接着されている。
【００２８】
平面部５１２ｂからは、ＵＳＢ型複合端子２１に向かってバネ部５１２ｃが延設されるとともに、ＨＤＭＩ端子２２に向かってバネ部５１２ｄが延設されている。バネ部５１２ｃ及びバネ部５１２ｄは、それぞれＵＳＢ型複合端子２１及びＨＤＭＩ端子２２に圧接し、これにより、接地板金５１２とＵＳＢ型複合端子２１及びＨＤＭＩ端子２２との電気的な導通が取られている。
【００２９】
また、平面部５１２ｂは、カバー５１１がＵＳＢ型複合端子２１及びＨＤＭＩ端子２２に接触する面の反対側に配置されている。これにより、平面部５１２ｂとＵＳＢ型複合端子及びＨＤＭＩ端子２２との間に比較的長い距離を確保することができ、したがって、バネ部５１２ｃ及びバネ部５１２ｄの腕の長さを長くしてバネのヘタリを防止することができる。
【００３０】
壁部５１１ａは、ＵＳＢ型複合端子２１及びＨＤＭＩ端子２２の先端側（プラグ挿入口側）に配置されて、先端部がメインシャーシ７と当接している。ここで、メインシャーシ７は、本発明のシャーシ部材の一例に相当する。ＵＳＢ型複合端子２１にＵＳＢプラグを挿入し、カバーユニット５１の方向にコジるとき、メインシャーシ７と当接する壁部５１１ａがてこの支点となる。
【００３１】
このとき、ＵＳＢ型複合端子２１の先端から壁部５１１ａまでの長さＬが、てこにおける支点と力点の距離になり、長さＬが短いほど、ＵＳＢ型複合端子２１とフレキシブル基板２との半田付け部分を引き剥がす方向にかかる力は小さくなる。したがって、壁部５１１ａがＵＳＢ型複合端子２１の先端側に配置されることによって、ＵＳＢプラグの抜き差しやコジリに対する耐久性が高まる。ＨＤＭＩ端子２２についても同様である。
【００３２】
ところで、ＵＳＢ型複合端子２１及びＨＤＭＩ端子２２において、プラグの抜き差しやカバーユニット５１の方向へのコジリに対する耐久性を高めるためには、それぞれの端子２１，２２の先端両側でカバーユニット５１をビス止め等で固定することが望ましい。
【００３３】
しかし、ＵＳＢ型複合端子２１の図５の先端左側においては、穴５２５が設けられているため、ビス止めのスペースを設けることができない。また、ＵＳＢ型複合端子２１とＨＤＭＩ端子２２の間は、ＵＳＢ型複合端子２１とＨＤＭＩ端子２２が近接して並設されているため、同様にビス止めのスペースを設けることができない。
【００３４】
ＨＤＭＩ端子２２の図５の先端右側近傍には、カバーユニット５１を電池ボックス５２に固定するビス５４ａのビス穴５２４ａが設けられているため、プラグの抜き差しやカバーユニット５１の方向へのコジリに対する耐久性は確保されている。
【００３５】
一方、前述したように、壁部５１１ａの先端部がメインシャーシ７に当接しているため、ＵＳＢ型複合端子２１は、プラグの抜き差しやカバーユニット５１の方向へのコジリに対する耐久性が高められている。
【００３６】
また、図３に示すように、壁部５１１ａは、ＵＳＢ型複合端子２１の上方にて、メインシャーシ７に向けて延設されることによって、プラグがＵＳＢ型複合端子２１をカバーユニット５１の方向へコジる力に対するカバー５１１自体の強度も向上する。
【００３７】
ＨＤＭＩ端子２２は、図３に示すように、フレキシブル基板２への実装構造上、先端部以外はフレキシブル基板２に覆われているため、先端部においてのみバネ部５１２ｄと接触可能である。そのため、壁部５１１ａをＨＤＭＩ端子２２の上方にてメインシャーシ７に向けて延設させることができない。
【００３８】
すなわち、本実施形態では、ビス止めのスペースを設けることができないＵＳＢ型複合端子２１の側において、ＵＳＢ型複合端子２１の幅方向の全域で壁部５１１ａがメインシャーシ７に向けて延設される。また、ビス止めのスペースを設けることができるＨＤＭＩ端子２２の側においては、ＨＤＭＩ端子２２の幅方向の一部の領域でのみ壁部５１１ａがメインシャーシ７に向けて延設される。ＵＳＢ型複合端子２１の上方およびＨＤＭＩ端子２２の上方に延設された壁部５１１ａは、メインシャーシ７に当接している。
【００３９】
これにより、ＵＳＢ型複合端子２１及びＨＤＭＩ端子２２の双方において、プラグの抜き差しやカバーユニット５１の方向へのコジリに対する耐久性を高めることができる。ここで、ＵＳＢ型複合端子２１は、本発明の一方の外部接続端子の一例に相当し、ＨＤＭＩ端子２２は、本発明の他方の外部接続端子の一例に相当する。
【００４０】
図６は、ストロボ電池ボックスユニット５の電池ボックス５２にメイン基板６を取り付けた状態を示す図である。
【００４１】
図６に示すように、メイン基板６には、フレキシブル基板２の這いまわしのための２つの切欠き部６１が設けられており、メイン基板６の２つの切欠き部６１の間の部分は、壁部５１１ａの近傍まで延出している。壁部５１１ａをＵＳＢ型複合端子２１、及びＨＤＭＩ端子２２の先端側に設けることによって、メイン基板６が延出する面積を大きくすることができ、メイン基板６に実装される電子部品の配置の制約を減らすことができる。
【００４２】
メイン基板６の裏面には、グランド電位が露出する不図示のグランドパッドが設けられており、グランドパッドは、カバーユニット５１の接地板金５１２に接着されたガスケット５３に接触する。また、メイン基板６の２つの切欠き部６１の間の部分には、フレキシブル基板２のコネクタ２０３が接続されるコネクタ６２が設けられている。
【００４３】
図７は、フレキシブル基板２のコネクタ２０３をメイン基板６のコネクタ６２に接続した状態を示す図である。
【００４４】
図６及び図７を参照して、フレキシブル基板２のコネクタ２０３をメイン基板６のコネクタ６２に接続する際には、フレキシブル基板２をメイン基板６の２つの切欠き部６１で折り返している。これにより、フレキシブル基板２の折り返し長さを短くすることができ、コストダウンと信号のノイズの低減が可能となる。
【００４５】
図８はストロボ電池ボックスユニット５の電池ボックス５２にメイン基板６及びメインシャーシ７を取り付けた状態を示す平面図、図９は図８の矢印Ａ方向から見た図、図１０は図８のＢ−Ｂ線断面図である。
【００４６】
図９に示すように、ＵＳＢ型複合端子２１及びＨＤＭＩ端子２２の並設方向のプラグの抜き差しやコジリへの耐久性は、ＵＳＢ型複合端子２１及びＨＤＭＩ端子２２がそれぞれ溝部５２１及び溝部５２２に嵌合されていることによって確保される。
【００４７】
また、ＵＳＢ型複合端子２１及びＨＤＭＩ端子２２の並設方向と直交する方向のプラグの抜き差しやコジリへの耐久性は、溝部５２１及び溝部５２２の底面とカバーユニット５１との間に各端子２１，２２が挟持されることによって確保される。
【００４８】
接地板金５１２に設けられたバネ部５１２ｄは、カバーユニット５１が組み込まれた状態で、ＨＤＭＩ端子２２に圧接し、これにより、接地板金５１２とＨＤＭＩ端子２２とが電気的に導通する。
【００４９】
また、図１０に示すように、接地板金５１２に設けられたバネ部５１２ｃは、カバーユニット５１が組み込まれた状態で、ＵＳＢ型複合端子２１に圧接し、これにより、接地板金５１２とＵＳＢ型複合端子２１とが電気的に導通する。
【００５０】
前述したように、ガスケット５３は、カバーユニット５１とメイン基板６との間に挟持されている。ガスケット５３は、導電性を有し、カバーユニット５１と接地板金５１２を介して接触して、グランドに接続されたメイン基板６と不図示のグランドパッドを介して接触する。
【００５１】
したがって、ＵＳＢ型複合端子２１及びＨＤＭＩ端子２２においては、接地板金５１２、ガスケット５３及びメイン基板６を介してグランドに接地されることで、それぞれのグランドが強化され、発せられるノイズが低減されることとなる。ここで、メイン基板６は、本発明の他の部材の一例に相当する。
【００５２】
ＵＳＢ型複合端子２１において、挿入されたＵＳＢによりカバーユニット５１の方向にコジられた場合、前述したように、カバーユニット５１の壁部５１１ａの先端部がメインシャーシ７に当接する。そして、カバーユニット５１は、メインシャーシ７に当接した後は、メインシャーシ７からコジリに対する抗力を受ける。
【００５３】
このとき、メインシャーシ７は、デジタルカメラの構造上の強度を保つためにそれ自体強度を持つ素材で形成され、かつ、前述したように複数個所でビス固定されているため、大きな抗力を発生させることができる。
【００５４】
また、壁部５１１ａを設けるためにＵＳＢ型複合端子２１とＨＤＭＩ端子２２との間のスペースを必要としないため、ＵＳＢ型複合端子２１とＨＤＭＩ端子との間隔を狭めることができ、デジタルカメラの小型化が可能となる。
【００５５】
図１１（ａ）はカバーユニット５１の斜視図、図１１（ｂ）は図１１（ａ）の背面側から見た斜視図である。
【００５６】
接地板金５１２は、前述したように、壁部５１１ａと接地板金５１２の側面部５１２ａが接した状態で、カバー５１１と熱溶着等のカシメ５１１ｂによって結合されている。
【００５７】
接地板金５１２のバネ部５１２ｃ、及びバネ部５１２ｄは、それぞれＵＳＢ型複合端子２１、及びＨＤＭＩ端子２２と圧接するため、平面部５１２ｂと直交する方向に反発力を受ける。ここで、カシメ５１１ｂの箇所が前記反発力の方向と平行な面に設けられているため、前記反発力がカシメ５１１ｂの溶着部分を引き剥がす力とならず、カシメ５１１ｂの溶着信頼性を高めることができる。
【００５８】
また、接地板金５１２の平面部５１２ｂは、前述したように、ガスケット５３と接触する。ここで、カシメ５１１ｂの箇所が側面部５１２ａに設けられることによって、平面部５１２ｂの面積をカシメのために割くことなく多く確保することができ、ガスケット５３との電気的な導通が確実となる。
【００５９】
以上説明したように、本実施形態では、プラグの抜き差しやコジリに対する外部接続端子２１，２２の耐久性を高めることができるとともに、複数の端子２１，２２が近接して並設された場合でも、デジタルカメラの小型化、及び十分なノイズの低減が可能となる。
【００６０】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００６１】
６  メイン基板
７  メインシャーシ
２１  ＵＳＢ型複合端子
２２  ＨＤＭＩ端子
５１  カバーユニット
５２  電池ボックス
５３  ガスケット
５１１  カバー
５１１ａ  壁部
５１２  接地板金
【図１】
2013153266.tif 000003
【図２】
2013153266.tif 000004
【図３】
2013153266.tif 000005
【図４】
2013153266.tif 000006
【図５】
2013153266.tif 000007
【図６】
2013153266.tif 000008
【図７】
2013153266.tif 000009
【図８】
2013153266.tif 000010
【図９】
2013153266.tif 000011
【図１０】
2013153266.tif 000012
【図１１】
2013153266.tif 000013